(57)【特許請求の範囲】
【請求項１】
ＳＤ信号をＨＤ信号に変換する画像信号変換装置において、
前記ＳＤ信号が所定のテレビジョン放送信号規格に準拠しているか否かを判定する判定手段と、
前記ＳＤ信号の走査線数を定数倍して倍速信号に変換する変換手段と、
前記倍速信号の画素を補間して前記ＨＤ信号を生成する生成手段と、
前記倍速信号の垂直同期信号に基づいて、前記ＨＤ信号の垂直同期信号を出力する出力手段とを含み、
前記出力手段は、
前記ＳＤ信号が前記所定のテレビジョン放送信号規格に準拠していると判定された場合、前記倍速信号の前記垂直同期信号から所定の遅延量だけ遅延させて前記ＨＤ信号の前記垂直同期信号を出力し、以降、所定の時間間隔毎に前記ＨＤ信号の前記垂直同期信号を出力し、
前記ＳＤ信号が前記所定のテレビジョン放送信号規格に準拠していないと判定された場合、前記倍速信号の前記垂直同期信号毎に、所定の遅延量だけ遅延させた前記ＨＤ信号の前記垂直同期信号を出力する
画像信号変換装置。
【請求項２】
前記出力手段は、前記倍速信号の前記垂直同期信号と前記ＨＤ信号の前記垂直同期信号の位相差が閾値よりも大きい場合、前記ＨＤ信号の前記垂直同期信号の位相を、１フィールド当たり１ライン分ずつ補正する
請求項１に記載の画像信号変換装置。
【請求項３】
前記判定手段は、前記倍速信号の垂直同期信号と前記ＨＤ信号の前記垂直同期信号の前記位相差に基づいて、前記ＳＤ信号が前記所定のテレビジョン放送信号規格に準拠しているか否かを判定する
請求項１に記載の画像信号変換装置。
【請求項４】
前記所定のテレビジョン放送信号規格は、NTSC規格である
請求項１に記載の画像信号変換装置。
【請求項５】
ＳＤ信号をＨＤ信号に変換する画像信号変換装置の画像信号変換方法において、
前記ＳＤ信号が所定のテレビジョン放送信号規格に準拠しているか否かを判定する判定ステップと、
前記ＳＤ信号の走査線数を定数倍して倍速信号に変換する変換ステップと、
前記倍速信号の画素を補間して前記ＨＤ信号を生成する生成ステップと、
前記倍速信号の垂直同期信号に基づいて、前記ＨＤ信号の垂直同期信号を出力する出力ステップとを含み、
前記出力ステップは、
前記ＳＤ信号が前記所定のテレビジョン放送信号規格に準拠していると判定された場合、前記倍速信号の前記垂直同期信号から所定の遅延量だけ遅延させて前記ＨＤ信号の前記垂直同期信号を出力し、以降、所定の時間間隔毎に前記ＨＤ信号の前記垂直同期信号を出力し、
前記ＳＤ信号が前記所定のテレビジョン放送信号規格に準拠していないと判定された場合、前記倍速信号の前記垂直同期信号毎に、所定の遅延量だけ遅延させた前記ＨＤ信号の前記垂直同期信号を出力する
画像信号変換方法。
【請求項６】
ＳＤ信号をＨＤ信号に変換する画像信号変換装置の制御用のプログラムであって、
前記ＳＤ信号が所定のテレビジョン放送信号規格に準拠しているか否かを判定する判定ステップと、
前記ＳＤ信号の走査線数を定数倍して倍速信号に変換する変換ステップと、
前記倍速信号の画素を補間して前記ＨＤ信号を生成する生成ステップと、
前記倍速信号の垂直同期信号に基づいて、前記ＨＤ信号の垂直同期信号を出力する出力ステップとを含み、
前記出力ステップは、
前記ＳＤ信号が前記所定のテレビジョン放送信号規格に準拠していると判定された場合、前記倍速信号の前記垂直同期信号から所定の遅延量だけ遅延させて前記ＨＤ信号の前記垂直同期信号を出力し、以降、所定の時間間隔毎に前記ＨＤ信号の前記垂直同期信号を出力し、
前記ＳＤ信号が前記所定のテレビジョン放送信号規格に準拠していないと判定された場合、前記倍速信号の前記垂直同期信号毎に、所定の遅延量だけ遅延させた前記ＨＤ信号の前記垂直同期信号を出力する
処理を画像変換装置のコンピュータに実行させるプログラムが記録されている記録媒体。
【請求項７】
ＳＤ信号をＨＤ信号に変換して表示するテレビジョン受像機において、
前記ＳＤ信号が所定のテレビジョン放送信号規格に準拠しているか否かを判定する判定手段と、
前記ＳＤ信号の走査線数を定数倍して倍速信号に変換する変換手段と、
前記倍速信号の画素を補間して前記ＨＤ信号を生成する生成手段と、
前記倍速信号の垂直同期信号に基づいて、前記ＨＤ信号の垂直同期信号を出力する出力手段とを含み、
前記出力手段は、
前記ＳＤ信号が前記所定のテレビジョン放送信号規格に準拠していると判定された場合、前記倍速信号の前記垂直同期信号から所定の遅延量だけ遅延させて前記ＨＤ信号の前記垂直同期信号を出力し、以降、所定の時間間隔毎に前記ＨＤ信号の前記垂直同期信号を出力し、
前記ＳＤ信号が前記所定のテレビジョン放送信号規格に準拠していないと判定された場合、前記倍速信号の前記垂直同期信号毎に、所定の遅延量だけ遅延させた前記ＨＤ信号の前記垂直同期信号を出力する
テレビジョン受像機。
【請求項８】
前記出力手段は、前記倍速信号の前記垂直同期信号と前記ＨＤ信号の前記垂直同期信号の位相差が閾値よりも大きい場合、前記ＨＤ信号の前記垂直同期信号の位相を、１フィールド当たり１ライン分ずつ補正する
請求項７に記載のテレビジョン受像機。
【請求項９】
前記判定手段は、前記倍速信号の垂直同期信号と前記ＨＤ信号の前記垂直同期信号の前記位相差に基づいて、前記ＳＤ信号が前記所定のテレビジョン放送信号規格に準拠しているか否かを判定する
請求項７に記載のテレビジョン受像機。
【請求項１０】
前記所定のテレビジョン放送信号規格は、NTSC規格である
請求項７に記載のテレビジョン受像機。
【発明の詳細な説明】
【０００１】
【発明の属する技術分野】
本発明は、画像信号変換装置および方法、記録媒体、並びにテレビジョン受像機に関し、例えば、ＳＤ信号をＨＤ信号に変換する場合に用いて好適なテレビジョン受像機、画像信号装置および方法、記録媒体、並びにテレビジョン受像機に関する。
【０００２】
【従来の技術】
例えば、ハイビジョン放送等で放送される高品質画像信号（以下、ＨＤ(High Definition)信号と記述する）に対応しているディスプレイに、従来の地上波放送等の画像信号（以下、ＳＤ(Standerd Definition)信号と記述する）を表示させる場合などにおいては、ＳＤ信号をＨＤ信号に変換する必要がある。
【０００３】
図１は、入力されるＳＤ信号をＨＤ信号に変換して出力するシステムの構成例を示している。当該システムにおいて、入力されるＳＤ信号は倍速変換装置１によって倍速信号に変換され、画素数変換装置２によってＨＤ信号に変換される。
【０００４】
【発明が解決しようとする課題】
ところで、当該システムに入力されるＳＤ信号が例えばNTSC(National Television System Committee)規格に準拠する信号である場合、その走査はインターレース（飛び越し走査）であり、１フレームの走査線は５２５ラインである。よって、垂直同期信号（以下、Ｖシンクと略記する）の周期は、図２（Ａ）に示すように、第１フィールドおよび第２フィールドともに２６２．５ラインとなる。
【０００５】
そのようなＳＤ信号を倍速変換装置１で倍速信号に変換する場合、１フレームの走査線数を１０５０ラインとするが、インタレース方式を維持するためには、図２（Ｂ）に示すように、倍速信号のＶシンクの周期を第１フィールドで５２３．５ラインとし、第２フィールドで５２６．５ラインとするように、第１および第２フィールドのＶシンクの周期に０．５ラインの端数を生じさせる必要がある（第１フィールドを５２４．５ラインとし、第２フィールドを５２５．５ラインとしてもよい）。
【０００６】
次に、画素数変換装置２では、倍速倍変換装置１から出力された第１フィールドのＶシンクの周期と第２フィールドのＶシンクの周期とが異なる倍速信号を、１フレームの走査線が１１２５ラインであるＨＤ信号に変換するが、このとき、特に工夫を施さなければ、得られるＨＤ信号のＶシンクの周期は、例えば図２（Ｃ）に示すように、第１フィールドが５６０．５ラインとなり、第２フィールドが５６４．５ラインとなるように、第１フィールドのライン数と第２フィールドのＶシンクの周期が異なるものになってしまう。
【０００７】
よって、得られたＨＤ信号をディスプレイに表示した場合、第１フィールドと第２フィールドでは、それぞれの走査線の間隔が異なってしまう課題があった。
【０００８】
本発明はこのような状況に鑑みてなされたものであり、ＳＤ信号をＨＤ信号に変換する場合において、得られるＨＤ信号の第１フィールドのライン数と第２フィールドのライン数の差の発生を抑止できるようにすることを目的とする。
【０００９】
【課題を解決するための手段】
本発明の画像信号変換装置は、ＳＤ信号が所定のテレビジョン放送信号規格に準拠しているか否かを判定する判定手段と、ＳＤ信号の走査線数を定数倍して倍速信号に変換する変換手段と、倍速信号の画素を補間してＨＤ信号を生成する生成手段と、倍速信号の垂直同期信号に基づいて、ＨＤ信号の垂直同期信号を出力する出力手段とを含み、出力手段は、ＳＤ信号が所定のテレビジョン放送信号規格に準拠していると判定された場合、倍速信号の垂直同期信号から所定の遅延量だけ遅延させてＨＤ信号の垂直同期信号を出力し、以降、所定の時間間隔毎にＨＤ信号の垂直同期信号を出力し、ＳＤ信号が所定のテレビジョン放送信号規格に準拠していないと判定された場合、倍速信号の垂直同期信号毎に、所定の遅延量だけ遅延させたＨＤ信号の垂直同期信号を出力する。
【００１０】
本発明の画像信号変換方法は、ＳＤ信号が所定のテレビジョン放送信号規格に準拠しているか否かを判定する判定ステップと、ＳＤ信号の走査線数を定数倍して倍速信号に変換する変換ステップと、倍速信号の画素を補間してＨＤ信号を生成する生成ステップと、倍速信号の垂直同期信号に基づいて、ＨＤ信号の垂直同期信号を出力する出力ステップとを含み、出力ステップは、ＳＤ信号が所定のテレビジョン放送信号規格に準拠していると判定された場合、倍速信号の垂直同期信号から所定の遅延量だけ遅延させてＨＤ信号の垂直同期信号を出力し、以降、所定の時間間隔毎にＨＤ信号の垂直同期信号を出力し、ＳＤ信号が所定のテレビジョン放送信号規格に準拠していないと判定された場合、倍速信号の垂直同期信号毎に、所定の遅延量だけ遅延させたＨＤ信号の垂直同期信号を出力する。
【００１１】
本発明の記録媒体は、ＳＤ信号が所定のテレビジョン放送信号規格に準拠しているか否かを判定する判定ステップと、ＳＤ信号の走査線数を定数倍して倍速信号に変換する変換ステップと、倍速信号の画素を補間してＨＤ信号を生成する生成ステップと、倍速信号の垂直同期信号に基づいて、ＨＤ信号の垂直同期信号を出力する出力ステップとを含み、出力ステップは、ＳＤ信号が所定のテレビジョン放送信号規格に準拠していると判定された場合、倍速信号の垂直同期信号から所定の遅延量だけ遅延させてＨＤ信号の垂直同期信号を出力し、以降、所定の時間間隔毎にＨＤ信号の垂直同期信号を出力し、ＳＤ信号が所定のテレビジョン放送信号規格に準拠していないと判定された場合、倍速信号の垂直同期信号毎に、所定の遅延量だけ遅延させたＨＤ信号の垂直同期信号を出力する処理を画像変換装置のコンピュータに実行させるプログラムが記録されている。
【００１２】
本発明のテレビジョン受像機は、ＳＤ信号が所定のテレビジョン放送信号規格に準拠しているか否かを判定する判定手段と、ＳＤ信号の走査線数を定数倍して倍速信号に変換する変換手段と、倍速信号の画素を補間してＨＤ信号を生成する生成手段と、倍速信号の垂直同期信号に基づいて、ＨＤ信号の垂直同期信号を出力する出力手段とを含み、出力手段は、ＳＤ信号が所定のテレビジョン放送信号規格に準拠していると判定された場合、倍速信号の垂直同期信号から所定の遅延量だけ遅延させてＨＤ信号の垂直同期信号を出力し、以降、所定の時間間隔毎にＨＤ信号の垂直同期信号を出力し、ＳＤ信号が所定のテレビジョン放送信号規格に準拠していないと判定された場合、倍速信号の垂直同期信号毎に、所定の遅延量だけ遅延させたＨＤ信号の垂直同期信号を出力する。
【００１３】
本発明においては、ＳＤ信号が所定のテレビジョン放送信号規格に準拠しているか否かが判定され、ＳＤ信号がその走査線数が定数倍されて倍速信号に変換され、倍速信号の画素が補間されてＨＤ信号が生成され、倍速信号の垂直同期信号に基づいて、ＨＤ信号の垂直同期信号が出力される。なお、ＳＤ信号が所定のテレビジョン放送信号規格に準拠していると判定された場合、倍速信号の垂直同期信号から所定の遅延量だけ遅延させてＨＤ信号の垂直同期信号が出力され、以降、所定の時間間隔毎にＨＤ信号の垂直同期信号が出力される。反対に、ＳＤ信号が所定のテレビジョン放送信号規格に準拠していないと判定された場合、倍速信号の垂直同期信号毎に、所定の遅延量だけ遅延させたＨＤ信号の垂直同期信号が出力される。
【００２０】
【発明の実施の形態】
本発明を適用した画像変換システムの構成例について、図１を参照して説明する。この画像変換システムは、入力されるＳＤ信号をＨＤ信号に変換するものである。
【００２１】
この画像変換システムは、３次元ＹＣ分離装置１１、倍速変換装置１２、画素数変換装置１３、および制御装置１４から構成される。
【００２２】
３次元ＹＣ分離装置１１は、入力されるＳＤ信号をＹＣ分離して倍速変換装置１２に出力する。３次元ＹＣ分離装置１１はまた、入力されるＳＤ信号が、NTSC規格に準拠する標準信号（テレビジョン放送信号の５２５ｉ（インタレース））であるか、準拠しない非標準信号（例えば、家庭用テレビゲーム信号等の２６２ｐ（プログレッシブ））であるかを判定して、判定結果を示す判定信号を制御装置１４に出力する。
【００２３】
倍速変換装置１２は、図１の倍速変換装置１と同様に、入力されたＳＤ信号を倍速信号に変換して画素数変換装置１３に出力する。画素数変換装置１３は、倍速変換装置１２から入力される倍速信号をＨＤ信号に変換し、制御装置１４から指定される同期方式に従って出力する。
【００２４】
制御装置１４は、ドライブ１５を制御して、磁気ディスク１６、光ディスク１７、光磁気ディスク１８、または半導体メモリ１９に記憶されている制御用プログラムを読み出し、読み出した制御用プログラムに基づいて、画像変換システムの各装置を制御する。例えば、制御装置１４は、３次元ＹＣ分離装置１１からの判定信号に対応して、画像数変換装置１３における同期方式を決定する。
【００２５】
制御装置１４の同期方法決定処理について、図４のフローチャートを参照して説明する。この同期方法決定処理は当該画像変換システムが動作する間繰り返して実行される。
【００２６】
ステップＳ１において、制御装置１４は、３次元ＹＣ分離装置１１から入力された判定信号に基づき、当該画像変換システムに入力されたＳＤ信号がNTSC規格に準拠した標準信号であるか否かを判定する。入力されたＳＤ信号が標準信号であると判定された場合、ステップＳ２に進む。ステップＳ２において、制御装置１４は、同期方式を標準の方式に決定して画素数変換装置１３に通知する。この通知に対応して、画素数変換装置１３では、変換したＨＤ信号のＶシンクを標準の方式で出力する（詳細は後述する）。
【００２７】
なお、ステップＳ１において、入力されたＳＤ信号が標準信号ではないと判定された場合、ステップＳ３に進む。ステップＳ３において、制御装置１４は、同期方式を非標準の方式に決定して画素数変換装置１３に通知する。この通知に対応して、画素数変換装置１３では、変換したＨＤ信号のＶシンクを非標準の方式で出力する（詳細は後述する）。
【００２８】
図５は、入力されるＳＤ信号がNTSC規格に準拠する標準信号（５２５ｉ）である場合の画素数変換装置１３での同期方法を示している。
【００２９】
標準のＳＤ信号が入力された場合、倍速変換装置１２から出力される倍速信号のＶシンクの周期は、図５（Ａ）に示すように、第１フィールドと第２フィールドとで異なり、５２３．５ｈと５２６．５ｈが交互に繰り返される。ただし、ｈは、倍速信号における１ラインに相当する時間を示すものとする。
【００３０】
この場合、画素数変換装置１３では、図５（Ｂ）に示すように、入力される倍速信号の位相Ａを検知して、位相Ａから固定ディレイαだけ遅延させた位相Ａ’においてＨＤ信号のＶシンクを発生し、さらに、位相Ａ’から５６２．５Ｈだけ遅延させた位相Ｂ’においてもＶシンクを発生する。ただし、Ｈは、ＨＤ信号における１ラインに相当する時間を示すものとする。
【００３１】
ここで、ＨＤ信号のＶシンクの位相Ｂ’は、倍速信号のＶシンクの位相Ｂに対して固定ディレイαに加えて、さらに３ｈだけずれることになる。しかしながら、入力された倍速信号のフィールド周波数と、出力するＨＤ信号のフィールド周波数がPLL(Phase Locked Loop)によって完全に一致されることに起因して、当該ずれ量（いまの場合、３ｈ）が所定の閾値（例えば、３ｈ）以下である場合には、当該ずれ量を無視することができ、次の位相Ｃ’は位相Ｃに対して固定ディレイαだけの遅延となる。
【００３２】
よって、位相Ｃと位相Ｃ’は、位相Ａと位相Ａ’との関係と同様であるので、以後同様に、位相Ｃ’においてＨＤ信号のＶシンクを発生し、さらに、位相Ｃ’から５６２．５Ｈだけ遅延させた位相Ｄ’においてもＶシンクを発生するようにすればよい。以後、入力される倍速信号のＶシンクの周期に変化がなければ、同様に繰り返せばよい。
【００３３】
ただし、ＨＤ信号のＶシンクの位相Ｘ’の倍速信号のＶシンクの位相Ｘに対する固定ディレイα以外のずれ量が、所定の閾値よりも大きい場合、連続するフィールドのライン数が大きく変化することによって、走査線の間隔の差が大きくなってしまわないように、１フィールド当たり、最小単位の１Ｈずつ合わせ込むようにする。
【００３４】
なお、チャンネルの切り換え等に起因して、図５（Ａ）の位相Ｄと位相Ｅの間のように、入力されている標準の倍速信号のＶシンクの周期に変化が生じた場合には、次に入力される倍速信号の位相Ｆを待ち、上述した処理を繰り返せばよい。すなわち、位相Ｆから固定ディレイαだけ遅延させた位相Ｆ’においてＨＤ信号のＶシンクを発生し、さらに、位相Ｆ’から５６２．５Ｈだけ遅延させた位相Ｇ’においてもＶシンクを発生するようにすればよい。
【００３５】
ところで、入力されるＳＤ信号がNTSC規格に準拠していない非標準信号である場合、上述したような、標準のＳＤ信号が入力された場合の同期方式を適用することができない。
【００３６】
なぜならば、非標準の倍速信号のフィールド周波数は、上述した標準の倍速信号のフィールド周波数に比較して、２９．９７×（１／５２５）ヘルツだけずれているが、画素数変換装置１３でずれを合わせ込むことができる周波数は、１フィールド当たり１Ｈ、すなわち、２９．９７×（１／５６２．５）ヘルツであり、ずれを１フィールド当たり１Ｈずつ合わせ込むようにしても追いつくことができないからである。
【００３７】
図６は、入力されるＳＤ信号がNTSC規格に準拠していない非標準信号（２６２ｐ）である場合の画素数変換装置１３での同期方法を示している。図６（Ａ）に、非標準のＳＤ信号が入力された場合の倍速変換装置１２から出力される倍速信号のＶシンクの周期を示す。図６（Ａ）に示すように、第１フィールドと第２フィールドで共通の５２４ｈとなる。なお、倍速信号は、５２４ｐのプログレッシブ信号である。
【００３８】
この場合、画素数変換装置１３では、図６（Ｂ）に示すように、入力される倍速信号の位相を検知して、位相Ａから固定ディレイαだけ遅延させた位相Ａ’においてＨＤ信号のＶシンクを発生することを繰り返すようにする。
【００３９】
以上のように、本実施の形態である画像変換システムよれば、入力されるＳＤ信号が標準信号である場合、倍速変換装置１２からの倍速信号のＶシンクの１つのパルスをトリガとして、以降、一定の間隔（５６２．５Ｈ）でＨＤ信号のＶシンクを出力するように、入力されるＳＤ信号が非標準信号である場合、倍速変換装置１２からの倍速信号のＶシンクのパルス毎に、当該パルスに固定ディレイだけ遅延したＨＤ信号のＶシンクを出力するようにしたので、出力するＨＤ信号の第１フィールドのライン数と第２フィールドのライン数の差の発生が抑止される。
【００４０】
なお、３次元ＹＣ分離装置１１からの判定信号に対応して同期方式を変更するのではなく、例えば、画素数変換装置１３において入力される倍速信号のＶシンクと出力するＨＤ信号のＶシンクを比較し、倍速信号のＶシンクとＨＤ信号のＶシンクの位相が所定量以上ずれていかない場合には、当該画像変換システムに入力されたＳＤ信号が標準信号であると判定し、倍速信号のＶシンクとＨＤ信号のＶシンクの位相が所定量以上ずれていく場合には、当該画像変換システムに入力されたＳＤ信号が非標準信号であると判定して、同期方法を切り換えるようにしてもよい。
【００４１】
また、本実施の形態においては、NTSC規格に準拠しているＳＤ信号を標準信号とし、準拠していないないＳＤ信号を非標準信号として処理したが、本発明は、NTSC規格以外の他のテレビジョン規格（PAL規格、SECAM方式）のＳＤ信号を標準信号とする場合に適用することも可能である。
【００４２】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００４３】
この記録媒体は、図３に示すように、コンピュータとは別に、ユーザにプログラムを提供するために配布される、プログラムが記録されている磁気ディスク１６（フロッピディスクを含む）、光ディスク１７（CD-ROM(Compact Disc-Read Only Memory)、DVD(Digital Versatile Disc)を含む）、光磁気ディスク１８（ＭＤ(Mini Disc)を含む）、もしくは半導体メモリ１９などよりなるパッケージメディアにより構成されるだけでなく、コンピュータに予め組み込まれた状態でユーザに提供される、プログラムが記録されているROMやハードディスクなどで構成される。
【００４４】
また、本明細書において、システムとは、複数の装置により構成される装置全体を表すものである。
【００４５】
【発明の効果】
以上のように、本発明によれば、ＨＤ信号の第１フィールドのライン数と第２フィールドのライン数の差の発生を抑止することが可能となる。
【図面の簡単な説明】
【図１】従来の画像変換システムの構成の一例を示すブロック図である。
【図２】従来の画像変換システムの動作を説明するための図である。
【図３】本発明の一実施の形態である画像変換システムの構成例を示すブロック図である。
【図４】制御装置１４の同期方法決定処理を説明するフローチャートである。
【図５】標準のＳＤ信号が入力された場合における、ＨＤ信号のＶシンクの同期方法を説明するための図である。
【図６】非標準のＳＤ信号が入力された場合における、ＨＤ信号のＶシンクの同期方法を説明するための図である。
【符号の説明】
１１  ３次元ＹＣ分離装置，  １２  倍速変換装置，  １３  画素数変換装置，  １４  制御装置，  １６  磁気ディスク，  １７  光ディスク，  １８  光磁気ディスク，  １９  半導体メモリ
【図１】
0004257561.tif 000002
【図２】
0004257561.tif 000003
【図３】
0004257561.tif 000004
【図４】
0004257561.tif 000005
【図５】
0004257561.tif 000006
【図６】
0004257561.tif 000007